(57)【要約】  【課題】リサイクル品として提供するために行われる使用後の洗浄作業に要する労力を軽減し得る納豆容器を提供する。  【解決手段】納豆容器Ａを、上向きに開放された凹陥部を備えてなる発泡スチロール製の容器本体１と、納豆Ｎを収容し得るように上向きに開放された収容凹部Ｃを有し凹陥部に対して内嵌めされるカバー容器２とを有したものとした。使用後に、納豆Ｎから出る粘物質（いわゆるネバネバ）が直接的に付着しているカバー容器２を廃棄すれば、容器本体１を洗浄せずに又は簡易に洗浄するだけで、容器本体１をリサイクル品として提供することができるものとなる。【選択図】図３
0003217252.tif 000002
【実用新案登録請求の範囲】
【請求項１】
上向きに開放された凹陥部を備えてなる発泡スチロール製の容器本体と、納豆を収容し得るように上向きに開放された収容凹部を有し前記凹陥部に対して内嵌めされるカバー容器とを有した納豆容器。
【請求項２】
前記容器本体が、底壁と、この底壁の外周縁から一体に立設された周壁と、この周壁の上端縁から外側方に向けて一体に延設された鍔壁とを備えてなり、前記底壁及び前記周壁によって前記凹陥部が構成されており、
前記カバー容器が、底シートと、この底シートの外周縁から一体に立設された周シートと、この周シートの上端縁から外側方に向けて一体に延設された鍔シートとを備えてなり、前記底シート及び前記周シートによって前記収容凹部が構成されており、
前記容器本体における前記鍔壁の上面と前記カバー容器における前記鍔シートの下面とが部分的に接着されている請求項１記載の納豆容器。
【考案の詳細な説明】
【技術分野】
【０００１】
本考案は、納豆を収容する納豆容器に関する。
【背景技術】
【０００２】
従来から種々の納豆容器が開発されている（例えば特許文献１参照）。
【０００３】
多くの納豆容器は発泡スチロール製であり、使用後（すなわち、納豆を食べ終えた後）に、リサイクル品として取り扱われるものである。
【０００４】
一般的に、使用後の納豆容器をリサイクル品として提供する場合には、使用者が自らの責任で使用後の納豆容器を洗浄する必要がある。ところが、従来の納豆容器には、納豆から出る粘物質（いわゆるネバネバ）が直接的に付着していたため、使用後の洗浄が煩わしいものとなっていた。
【先行技術文献】
【特許文献】
【０００５】
【特許文献１】特許第５２４７９２１号公報
【考案の概要】
【考案が解決しようとする課題】
【０００６】
本考案は、このような事情に着目してなされたものであり、リサイクル品として提供するために行われる使用後の洗浄作業を軽減し得る納豆容器を提供することにある。
【課題を解決するための手段】
【０００７】
すなわち、本考案は次の構成をなしている。
【０００８】
請求項１に記載の考案は、上向きに開放された凹陥部を備えてなる発泡スチロール製の容器本体と、納豆を収容し得るように上向きに開放された収容凹部を有し前記凹陥部に対して内嵌めされるカバー容器とを有した納豆容器である。
【０００９】
このようなものであれば、納豆を食した後に、納豆が収容されたカバー容器を容器本体から離脱させれば、容器本体を洗浄することなく（又は容器本体を簡易に洗浄するだけで）当該容器本体をリサイクル品として提供することができるものとなる。したがって、リサイクル品として提供するために行われる使用後の洗浄作業を軽減し得る納豆容器を提供することができるものとなる。
【００１０】
請求項２に記載の考案は、前記容器本体が、底壁と、この底壁の外周縁から一体に立設された周壁と、この周壁の上端縁から外側方に向けて一体に延設された鍔壁とを備えてなり、前記底壁及び前記周壁によって前記凹陥部が構成されており、前記カバー容器が、底シートと、この底シートの外周縁から一体に立設された周シートと、この周シートの上端縁から外側方に向けて一体に延設された鍔シートとを備えてなり、前記底シート及び前記周シートによって前記収容凹部が構成されており、前記容器本体における前記鍔壁の上面と前記カバー容器における前記鍔シートの下面とが部分的に接着されている請求項１記載の納豆容器である。
【００１１】
このようなものであれば、容器本体に対してカバー容器が好適に内嵌めされるものとなり、しかも、容器本体における鍔壁の上面とカバー容器における鍔シートの下面とが部分的に接着されているので、納豆をかき混ぜたり納豆を食したりする際に、カバー容器が容器本体に対して動きにくいものとなっている。
【考案の効果】
【００１２】
以上説明したように本考案によれば、リサイクル品として提供するために行われる使用後の洗浄作業を軽減し得る納豆容器を提供することができる。
【図面の簡単な説明】
【００１３】
【図１】本考案の一実施形態を説明する斜視図。
【図２】同実施形態における分解斜視図。
【図３】図１におけるＸ−Ｘ線概略断面図。
【図４】他の実施形態を示す図３対応の概略断面図。
【図５】同実施形態における使用状態を説明するための概略断面図。
【考案を実施するための形態】
【００１４】
以下、本考案の一実施形態を、図１〜３を参照して説明する。
【００１５】
納豆容器Ａは、上向きに開放された凹陥部Ｂを備えてなる発泡スチロール製の容器本体１と、納豆Ｎを収容し得るように上向きに開放された収容凹部Ｃを有し凹陥部Ｂに対して内嵌めされるカバー容器２と、容器本体１及びカバー容器２を上側から覆う図示しない蓋体とを備えている。図１及び図３では、カバー容器２の収容凹部Ｃに納豆Ｎが収容された状態を概略的に示している。
【００１６】
容器本体１は、リサイクル可能な合成樹脂製のもの、すなわち、発泡スチロール製のものである。容器本体１は、平面視において矩形板状をなす底壁１１と、底壁１１の外周縁から一体に立設された周壁１２と、この周壁１２の上端縁から外側方に向けて一体に延設された鍔壁１３とを備えている。容器本体１は、底壁１１、及び、周壁１２によって上向きに開放された凹陥部Ｂが構成されている。
【００１７】
カバー容器２は、紙製又は薄板合成樹脂製のものである。カバー容器２には納豆Ｎが収容される収容凹部Ｃが設けられている。カバー容器２は、底壁１１の大きさと略同じ又は底壁１１よりもわずかに小さな大きさに設定された底シート２１と、この底シート２１の外周縁から一体に立設され周壁１２の内面に添接し得るように配された周シート２２と、この周シート２２の上端縁から外側方に向けて一体に延設され底面側が鍔壁１３の上面に添接し得るように配された鍔シート２３とを備えている。カバー容器２は、底シート２１、及び、周シート２２によって上向に開放された収容凹部Ｃが構成されている。カバー容器２は、側面視において下向きに凸をなしており、容器本体１の凹陥部Ｂに嵌合（内嵌）し得るように構成されている。なお、カバー容器２は、納豆Ｎが除去された後に容器本体１から離脱され所定の方法で廃棄されるものとなる。
【００１８】
容器本体１における鍔壁１３の上面とカバー容器２における鍔シート２３の下面とが部分的に接着されている。例えば、カバー容器２が紙製のものである場合は、容器本体１における鍔壁１３の上面とカバー容器２における鍔シート２３の下面とは接着剤により取り付けられる。また、例えば、カバー容器２が合成樹脂製のものである場合は、容器本体１における鍔壁１３の上面とカバー容器２における鍔シート２３の下面とは熱溶着により接着される。鍔壁１３と鍔シート２３とは部分的に接着されているため、使用者の手によってカバー容器２を容器本体１から簡単に離脱させ得るものとなっている。
【００１９】
以上に述べたように、納豆容器Ａは、リサイクル品として提供するために行われる使用後の洗浄作業を軽減し得るものとなっている。そのため、納豆容器Ａを利用することにより、使用者は、リサイクル品として提供するための作業を円滑に実行することができるものとなっている。
【００２０】
なお、本考案は、以上に詳述した実施形態に限られるものではない。
【００２１】
例えば、容器本体の凹陥部が円形の底壁と円筒状の周壁により構成されたものであってもよいし、カバー容器の収容凹部が円形の底シートと円筒状の周シートにより構成されたものであってもよい。
【００２２】
図４、及び、図５に示すように、カバー容器２の収容凹部Ｃ内に収容された納豆Ｎを、シート材Ｓにより被覆するようにしてもよい。
【００２３】
シート材Ｓの周縁部ｓｅは、カバー容器２における鍔シート２３の上面に種々の方法（接着剤を使用する方法や熱溶着による方法等）により接着されている。シート材Ｓにおける周縁部ｓｅの大部分は、人の手によって、鍔シート２３の上面から剥がし得る接着度合いに設定されている。その一方で、シート材Ｓにおける周縁部ｓｅの一部分（ｐ）だけ（例えば、一辺だけ）は、鍔シート２３の上面と強固に接着されており、人の手によって、鍔シート２３の上面から剥がし難い接着度合いに設定されている。
【００２４】
納豆Ｎを収容した状態のとき、すなわち、カバー容器２の収容凹部Ｃ内に収容された納豆Ｎにシート材Ｓを被せているときは、図４に示すように、当該シート材Ｓの上に納豆用の調味料袋Ｈ（タレか辛子等）を載置し得るようになっている。調味料袋Ｈは、カバー容器２における収容凹部Ｃの収容空間内（周シート２２に囲まれた空間内）に位置している。一方で、納豆容器Ａは、納豆Ｎを食べ終えた後に、シート材Ｓの端部を把持して上方に引き上げるだけで当該シート材Ｓと強固に接着したカバー容器２を容器本体１から離脱させることができるようになっている。したがって、納豆容器Ａは、使用者の手を汚すことなく、納豆Ｎを収容していたカバー容器２を容器本体１から取り外し、当該カバー容器２を廃棄することができるものとなっている。
【００２５】
その他、各部の具体的構成についても上記実施形態に限られるものではなく、本考案の趣旨を逸脱しない範囲で種々変形が可能である。
【符号の説明】
【００２６】
Ａ…納豆容器
１…容器本体
２…カバー容器
Ｎ…納豆
【図１】
0003217252.tif 000003
【図２】
0003217252.tif 000004
【図３】
0003217252.tif 000005
【図４】
0003217252.tif 000006
【図５】
0003217252.tif 000007